(57)【要約】【課題】受信画像をテレビ受像機の画面一杯に表示するのに併せ、視聴者がその時々で所望するサイズで表示できるようにする。【解決手段】受信したテレビ画像信号ＩＳを、テレビ受像機３の画面サイズＡＸ・ＡＹに対応した最大サイズからそれよりも小さいサイズまでの、表示映像４の臨場感や迫力感、視聴の空間の広さや距離とのバランス感、昼間と夜間などの時間帯や心的ゆとりからの視聴の強弱感など、視聴者の望みに応じて選択、設定される画像サイズの画像信号ＩＳＯに調整して、テレビ受像機３の画面３ａに表示することにより、上記の目的を達成する。【選択図】図１
2007189362.tif 000002
【特許請求の範囲】
【請求項１】
受信したテレビ画像信号を、テレビ受像機の画面サイズに対応した最大サイズからそれよりも小さいサイズまでの、映像の臨場感や迫力感、視聴の空間の広さや距離とのバランス感、昼間と夜間などの時間帯や心的ゆとりからの視聴の強弱感など、視聴者の望みに応じて選択、設定される画像サイズの画像信号に調整して、テレビ受像機の画面に表示することを特徴とするテレビ受像機の受信画像表示方法。
【請求項２】
受信したテレビ画像信号を、テレビ受像機の画面サイズに対応した最大サイズからそれよりも小さいサイズまでの、映像の臨場感や迫力感、視聴の空間の広さや距離とのバランス感、昼間と夜間などの時間帯や心的ゆとりなどからの視聴の強弱感など、視聴者の望みに応じて選択、設定された画像サイズの画像信号に調整して、テレビ受像機の画面にそれとほぼ同心に表示し、テレビ受像機の画面上のそれよりも小さい表示映像のまわりにできる枠状画面に、金色、銀色、黒、紫、濃緑、紺等の適宜に選択、設定される色を均等または濃淡や色の変化を持って表示した額縁画像とすることを特徴とするテレビ受像機の受信画像表示方法。
【請求項３】
テレビ画像信号を受信するテレビ受信器と、テレビ受信器で受信したテレビ画像信号を表示するテレビ受像機と、テレビ受像機の画面サイズに対応した最大サイズからそれよりも小さいサイズまでの画像サイズを視聴者の望みに応じて選択、設定する画像サイズ調整操作手段と、テレビ受信器で受信したテレビ画像信号を画像サイズ調整操作手段によって選択、設定された画像サイズのテレビ画像信号に調整してテレビ受像機に表示させる画像調整器とを備えたことを特徴とするテレビ受像装置。
【請求項４】
画像調整器は、選択、設定された画像細部のテレビ画像信号をテレビ受像機の画面にそれとほぼ同心に表示させ、テレビ受像機の画面上のそれよりも小さい表示映像のまわりにできる枠状画面に、金色、銀色、黒、紫、濃緑、紺等の適宜に選択、設定される色信号を均等または濃淡や色の変化を持って表示させる請求項３に記載のテレビ受像装置。
【発明の詳細な説明】
【技術分野】
【０００１】
本発明はテレビ受像機の受信画像表示方法とそれを用いたテレビ受像装置に関するものである。
【背景技術】
【０００２】
近年、居住空間の広がりによる視聴距離の増大や、音響装置を含めたシアター化といった臨場感の向上などからテレビ受像機の画面が徐々に大型化し、現在市販されているもののサイズは６５インチまで大きくなっている。このような大型画面は共通して見やすいという評価を受け、さらに大型化が進む傾向にある。
【０００３】
一方では、ハイビジョン放送等、従来のアスペクト比４：３よりも臨場感に優れたアスペクト比１６：９の映像を表示するディスプレイ装置などにて、４：３の映像を表示するのに画面の有効利用を図ることを課題として、第１のアスペクト比より横幅の狭い第２のアスペクト比の映像を第１のアスペクト比の表示画面に略一致させて表示させる技術が知られており（例えば、特許文献１参照。）、特に、左右方向での中央部の画像は第２のアスペクト比のままで表示画面に略一致させ、中央部を除いた左右部分では、中央部側の端部から左右端部に至るまでの範囲で、中央部に対し相似的に左右端部に近づくに従って連続的もしくは複数段階的に順次大きくする水平非線形処理を行っており、第２のアスペクト比の映像を第１のアスペクト比の表示画面全体に、映像の一部を欠くことなく表示でき、しかも中央部では第２のアスペクト比に保つことができる（真円度を保つことができる）と共に、左右部と中央部との境界がほとんど目立つことがなく、全体としても違和感のほとんどない映像とすることができる。
【特許文献１】特開平６−６６３４号（特許第２７５９７２７号）
【発明の開示】
【発明が解決しようとする課題】
【０００４】
ところで、居住空間の増大は常に大きな視聴距離を確保するとは限らない。例えば、広いリビング・ダイニングに設置したリビングテーブルやソファなどは多くの場合その設置位置が生活上特定してしまうが、テレビ受像機を含めそれらの設置にはリビング・ダイニングの平面形状、キッチンなど隣接空間との仕切り壁、出入り口、窓の位置、動線など各種条件から制約を受けることが多く、テレビ受像機に対するリビングテーブル利用位置からの視聴距離と、ソファの利用位置からの視聴距離とに大きな差が生じることがある。
【０００５】
このため、遠距離からの視聴となる設置物の利用位置では大きなサイズの画面であるほど画像の全体が見やすく迫力や臨場感があり目も疲れないが、近距離からの視聴となる設置物の利用位置では圧迫感が強くなり、目が疲れやすくなることがある。これらのことは人の視野は視軸に先に向け上下に１３０度、左右に１８０度と広いものの、物の形を細部にわたって判別でき、色を認識できる中心視野は視軸を中心に２０度と狭く、視聴距離が短くなるほど画面の大きさによる迫力は感じても視認しにくくなることが関係するものと思われる。さらに、大きなサイズの画面でも昼夜の違いや視聴者個人の内面的欲求、環境的などによっては小さな画面で視聴したいこともある。しかし、このような問題や欲求を解決する技術はまだ提供されていない。
【０００６】
本発明の目的は、受信したテレビ画像信号をテレビ受像機の画面一杯に表示するのに併せ、視聴者がその時々で所望するサイズで表示できるテレビ受像機の受信画像表示方法とそれを用いたテレビ受像装置を提供することにある。
【課題を解決するための手段】
【０００７】
上記の目的を達成するために、本発明のテレビ受像機の受信画像表示方法は、受信したテレビ画像信号を、テレビ受像機の画面サイズに対応した最大サイズからそれよりも小さいサイズまでの、映像の臨場感や迫力感、視聴の空間の広さや距離とのバランス感、昼間と夜間などの時間帯や心的ゆとりからの視聴の強弱感など、視聴者の望みに応じて選択、設定される画像サイズの画像信号に調整して、テレビ受像機の画面に表示することを１つの特徴としている。
【０００８】
このような構成では、テレビ受像機が受信した受信画像を画面に表示するのに、画面一杯に一律に表示するのではなく、テレビ受像機の画面サイズに対応した最大サイズからそれよりも小さいサイズまでの、映像の臨場感や迫力感、視聴の空間の広さや距離とのバランス感、昼間と夜間などの時間帯や心的ゆとりからの視聴の強弱感など、視聴者の望みに応じて選択、設定される画像サイズの画像信号に調整して、テレビ受像機の画面に表示するので、視聴者の思う通りのサイズの映像として視聴させられる。
【０００９】
このような方法は、テレビ画像信号を受信するテレビ受信器と、テレビ受信器で受信したテレビ画像信号を表示するテレビ受像機と、テレビ受像機の画面サイズに対応した最大サイズからそれよりも小さいサイズまでの画像サイズを視聴者の望みに応じて選択、設定する画像サイズ調整操作手段と、テレビ受信器で受信したテレビ画像信号を画像サイズ調整操作手段によって選択、設定された画像サイズのテレビ画像信号に調整してテレビ受像機に表示させる画像調整器とを備えたことを１つの特徴とするテレビ受像装置によって実現し、視聴者はテレビ受信器で受信するテレビ画像信号を、画像サイズ調整操作手段によって選択し設定したサイズの画像として画面一杯のサイズからそれよりも小さいサイズの画像として表示させられる。
【００１０】
本発明のテレビ受像機の受信画像表示方法は、また、受信したテレビ画像信号を、テレビ受像機の画面サイズに対応した最大サイズからそれよりも小さいサイズまでの、映像の臨場感や迫力感、視聴の空間の広さや距離とのバランス感、昼間と夜間などの時間帯や心的ゆとりなどからの視聴の強弱感など、視聴者の望みに応じて選択、設定された画像サイズの画像信号に調整して、テレビ受像機の画面にそれとほぼ同心に表示し、テレビ受像機の画面上のそれよりも小さい表示映像のまわりにできる枠状画面に、金色、銀色、黒、紫、濃緑、紺等の適宜に選択、設定される色を均等または濃淡や色の変化を持って表示した額縁画像とすることを別の特徴としている。
【００１１】
このような構成では、１つの特徴の場合に加えさらに、受信画像を画面よりも小さく表示するのに画面とほぼ同心な相似形として偏心による違和感をなくすと共に、表示映像のまわりにできる枠状画面を利用して金色、銀色、黒、紫、濃緑、紺等の適宜に選択、設定される色を均等にあるいは濃淡や色の変化を持って好みのサイズに残した枠状画面に表示した額縁画像が得られ、空間的あるいは心的安らぎ感をより高められる。
【００１２】
このような方法は、前記１つの特徴のテレビ受像機において、画像調整器は、選択、設定された画像細部のテレビ画像信号をテレビ受像機の画面にそれとほぼ同心に表示させ、テレビ受像機の画面上のそれよりも小さい表示映像のまわりにできる枠状画面に、金色、銀色、黒、紫、濃緑、紺等の適宜に選択、設定される色信号を表示させるようにして達成することができる。
【発明の効果】
【００１３】
本発明のテレビ受像機の受信画像表示方法とそれを用いたテレビ受像装置によれば、受信画像をテレビ受像機の画面サイズに対応した最大サイズからそれよりも小さいサイズまでの、映像の臨場感や迫力感、視聴の空間の広さや距離とのバランス感、昼間と夜間などの時間帯や心的ゆとりからの視聴の強弱感など、視聴者の望みに応じて選択、設定される画像サイズの画像信号に調整してテレビ受像機の画面に表示させるので、視聴者はその時々に望む通りのサイズの映像として視聴することができる。
【００１４】
また、受信画像を画面よりも小さく表示するのに画面とほぼ同心な相似形として偏心による違和感をなくし、しかも、表示映像のまわりにできる枠状画面を利用して金色、銀色、黒、紫、濃緑、紺等の適宜に選択、設定される色を均等または濃淡や色の変化を持って好みのサイズで残した枠状画面に表示した額縁画像として、テレビ受像機の枠部と併せた特異な額縁効果を表示映像に与え、また空間的または心的安らぎ感をより高められる。
【発明を実施するための最良の形態】
【００１５】
以下、本発明の実施の形態に係るテレビ受像機の受信画像表示方法とそれを用いたテレビ受像装置につき図面を参照しながら詳細に説明し、本発明の理解に供する。しかし、以下の説明は本発明の具体例であって特許請求の範囲の記載を限定するものではない。
【００１６】
本実施の形態のテレビ受像機の受信画像表示方法は、図１に示すテレビ受像装置１を参照して、テレビ受信器２で受信したテレビ画像信号ＩＳを、テレビ受像機３の画面３ａの画面サイズＡＸ・ＡＹに対応した最大サイズからそれよりも小さいサイズまでの、表示映像４の臨場感や迫力感、視聴の空間の広さや距離とのバランス感、昼間と夜間などの時間帯や心的ゆとりからの視聴の強弱感など、視聴者の望みに応じて選択、設定される図１に示すような画像サイズＢＸ・ＢＹの画像信号ＩＳＯに調整して、テレビ受像機３の画面３ａに表示する。このように、テレビ受像機３が受信した受信画像を画面３ａ一杯に一律に表示するのではなく、テレビ受像機３の画面サイズＡＸ・ＡＹに対応した最大サイズからそれよりも小さいサイズまでの、表示映像４の臨場感や迫力感、視聴の空間の広さや距離とのバランス感、昼間と夜間などの時間帯や心的ゆとりからの視聴の強弱感など、視聴者の望みに応じて選択、設定される画像サイズＢＸ・ＢＹの画像信号に調整して、テレビ受像機３の画面３ａに表示するので、視聴者の思う通りのサイズの表示映像４として視聴させられる。この結果、視聴者はその時々に望む通りのサイズの表示映像４として視聴することができる。
【００１７】
このような方法を達成するのにテレビ受像装置１は図１に示すように、既述したテレビ画像信号ＩＳを受信するテレビ受信器２と、テレビ受信器２で受信したテレビ画像信号ＩＳを表示するテレビ受像機３とに加え、テレビ受像機３の画面サイズＡＸ・ＡＹに対応した最大サイズからそれよりも小さいサイズまでの画像サイズを視聴者の望みに応じて選択、設定する画像サイズ調整操作手段５と、テレビ受信器２で受信したテレビ画像信号ＩＳを画像サイズ調整操作手段５によって選択、設定された画像サイズＢＸ・ＢＹのテレビ画像信号ＩＳＯに調整してテレビ受像機３に表示させる画像調整器６とを備えたものとする。これにより、視聴者はテレビ受信器２で受信するテレビ画像信号ＩＳを、画像サイズ調整操作手段５によって選択し設定したサイズの画像として画面一杯のサイズからそれよりも小さいサイズの画像として表示させられる。
【００１８】
ここで、特定のアスペクト比に限って述べると、各種画面サイズのテレビ受像機３では共通したテレビ画像信号ＩＳを受信して画面一杯に表示するのに、自身の各種画面サイズ、画素数に合った画像信号に調整することを行っており、画像調整器６は同様な処理を画像サイズ調整操作手段５によって選択、設定される画像サイズに対応して行えば、選択、設定されたサイズ通りの画像サイズＢＸ・ＢＹで表示した表示映像４とすることができる。この時の画像サイズＢＸ・ＢＹの変化は連続でもよいが段階的にするほど処理が容易となり、既存サイズの種類数の変化にすることにより既存の調整制御方式や回路などをそのまま採用して本発明を実現することもできる。もっとも、異種アスペクト比に関する既に知られた各種の変換を伴なって画像サイズの選択、設定による画像調整を行ってもよいのは勿論である。
【００１９】
なお、画像サイズ調整操作手段５は、図１に示すようにテレビ受像機３の操作パネル１１やリモートコントローラ１２に電源操作キー１３などと共に設ければよく、画面３ａやその付近のタッチパネル部に画像表示した操作部としてもよい。図示する例では、図２のリモートコントローラ１２に示すチャンネルのアップ、ダウンキー１６、１７や音量のアップ、ダウンキー１８、１９に倣った、画像サイズを増大させるアップキー１４と、縮小させるダウンキー１５との組み合わせとして設け、ボリューム間隔で画像サイズが調整できるようにしてある。しかも、表示映像４が画面３ａよりも小さく表示されている場合、その大きさの違いにかかわらず一挙に画面３ａ一杯の最大サイズに復帰させる画像復帰キー２１も設けて視聴の便利を図っている。
【００２０】
以上のようなテレビ受像機３の画面サイズＡＸ・ＡＹに対応した最大サイズからそれよりも小さいサイズまでの視聴者の望むサイズで受信画像を画面３ａに表示するのに、テレビ受像機３の画面３ａ上のそれよりも小さい表示映像４のまわりにできる図１に黒色の塗りつぶしで示す枠状画面２２に、金色、銀色、黒、紫、濃緑、紺等の適宜に選択、設定される色、あるいは模様、図柄などを図１に示すような均等の状態または図３に示すような濃淡や色調の変化を持って表示した額縁画像とすることにより、受信画像を画面３ａよりも小さく表示するのに画面３ａとほぼ同心な例えば相似形として表示映像４の画面３ａに対する偏心による違和感をなくすと共に、表示映像４のまわりにできる枠状画面２２を利用して金色、銀色、黒、紫、濃緑、紺等の適宜に選択、設定される色を表示した額縁画像が得られる。この結果、テレビ受像機３の枠部３ｂと併せた特異な額縁効果を表示映像４に与え、空間的または心的安らぎ感をより高められる。
【００２１】
このような額縁画像は画像調整器６での信号処理に併せ生成すればよく、これを実現するために図１、図２に示すような額色キー２３を設け、これの操作によって枠状画面２２での額縁画像の色を、例えば金色、銀色、黒、紫、濃緑、紺等の順にロータリ方式で切り替え設定できるようにしてあり、画像調整器６はその設定に従った適宜に選択、設定される色信号を表示させるようにして達成することができる。このような色設定も額色キー２３の操作で画面３ａやその付近のタッチパネル部や指定画面に多くの色像を表示し、その表示面上で指定させるようにしてもよい。
【産業上の利用可能性】
【００２２】
テレビ受像においてテレビ受像機の画面一杯からそれよりも小さい所定のサイズまで画像サイズを自由に増減させられる。
【図面の簡単な説明】
【００２３】
【図１】本発明の実施の形態に係るテレビ受像装置を示すブロック図である。
【図２】図１のリモートコントローラの詳細図である。
【図３】図１のテレビ受像機での別の画像表示例を示す正面図である。
【符号の説明】
【００２４】
１  テレビ受像装置
２  テレビ受信器
３  テレビ受像機
３ａ  画面
４  表示映像
５  画像サイズ調整操作手段
６  画像調整器
１１  操作パネル
１２  リモートコントローラ
１４  アップキー
１５  ダウンキー
２１  画像復帰キー
２２  枠状画面
２３  額色キー
【図１】
2007189362.tif 000003
【図２】
2007189362.tif 000004
【図３】
2007189362.tif 000005